(57)【要約】【課題】画像形成装置の操作に不慣れなユーザにとっても、画像形成条件を簡単に、かつ適切に設定することが可能になる画像形成装置を提供することである。【解決手段】制御部は、原稿の情報を入手する（Ｓ１１）。次に、制御部は、デジタル複合機を構成する要素を検出する（Ｓ１２）。次に、制御部は、ユーザによって設定される画像形成モードの情報を入手する（Ｓ１３）。次に、制御部１１は、Ｓ１１で入手した原稿の情報と、Ｓ１２で入手したデジタル複合機を構成する要素と、Ｓ１３でユーザによって設定されたモードの設定の情報とに基づいて、優先順をつけ適切な画像形成条件を特定する（Ｓ１４）。最後に、制御部は、Ｓ１４で特定した複数の画像形成条件を表示画面に表示する（Ｓ１５）。【選択図】図３
2010243665.tif 000002
【特許請求の範囲】
【請求項１】
表示手段と、
原稿を読取る画像読取り手段と、
画像形成装置を構成する要素を検出する検出手段と、
前記画像読取り手段にて読取った原稿の情報と、前記検出手段にて検出した情報とに基づいて、適切な画像形成条件を特定する特定手段と、
前記特定手段により特定された前記画像形成条件を表示するよう前記表示手段を制御する制御手段と
を備える、画像形成装置。
【請求項２】
前記表示手段は、複数の画像形成条件を選択可能に表示する、請求項１に記載の画像形成装置。
【請求項３】
前記特定手段は、前記画像形成条件を優先順に複数特定し、
前記表示手段は、前記複数の画像形成条件をマトリックス状に配列し、前記特定手段により優先順の高いと特定された画像形成条件を上段に表示する、請求項２に記載の画像形成装置。
【請求項４】
複数の画像形成モードを備え、前記制御手段は、前記画像形成モードの設定を受付けると、前記複数の画像形成モードに応じた画像形成条件を特定する、請求項１〜３のいずれかに記載の画像形成装置。
【請求項５】
前記画像形成装置を構成する要素は、用紙を格納する格納手段に格納された用紙の情報を含む、請求項１〜４のいずれかに記載の画像形成装置。
【請求項６】
前記制御手段は、読取った原稿の特徴を表示するよう前記表示手段を制御する、請求項１〜５のいずれかに記載の画像形成装置。
【請求項７】
前記画像形成装置を構成する要素は、画像形成済みの用紙に後処理を行う後処理装置を含む、請求項１〜６のいずれかに記載の画像形成装置。
【請求項８】
記憶手段を備え、前記制御手段は、ユーザを識別する情報と画像形成条件の頻度および履歴を含む情報とを前記記憶手段に記憶し、前記ユーザを識別する情報を識別したとき前記画像形成条件の頻度および履歴を含む情報に基づいて、識別されたユーザに応じた画像形成条件を特定する、請求項１〜７のいずれかに記載の画像形成装置。
【発明の詳細な説明】
【技術分野】
【０００１】
この発明は、画像形成装置に関し、特に、操作に不慣れなユーザにとっても、使い易い画像形成装置に関する。
【背景技術】
【０００２】
従来のデジタル複合機のような画像形成装置は、印字部数、用紙サイズ、拡大および縮小処理などの画像形成条件を予め設定し、画像読取り部にて読取った原稿に基づいて画像を形成する。画像形成条件を設定する際は、ユーザのボタンの押下による操作の入力を受付け、その入力に応じた設定がなされる。しかしながら、中には事前に原稿を読取り、読取った原稿に基づいて画像形成条件を設定する画像形成装置も存在する。そのような画像形成装置は、たとえば、特開２００７−１０９２０６号公報（特許文献１）に開示されている。
【０００３】
特許文献１によると、画像読取り部にて原稿を読取った後、読取った原稿はタッチパネル式の表示画面にて仕上がり予想図として表示される。ユーザは、表示された仕上がり予想図の所望の位置をタッチすると、指定した位置に対応した画像形成条件が表示される。また、画像形成条件の設定後には、設定が反映された仕上がり予想図が表示画面に表示される。
【先行技術文献】
【特許文献】
【０００４】
【特許文献１】特開２００７−１０９２０６号公報
【発明の概要】
【発明が解決しようとする課題】
【０００５】
従来の、予め原稿を読取り画像形成条件を設定することができる画像形成装置は、ユーザが表示画面に表示された仕上がり予想図の所望の位置にタッチすると、対応した画像形成条件が表示される。こうして表示された画像形成条件から設定を行うことができるため、ユーザにとっての操作性は向上している。
【０００６】
しかしながら、従来の画像形成条件の設定は、設定を行うための処理キーの操作が多く、また、処理キーは階層的に表示されるため、たとえば、操作に不慣れなユーザにとって目的の設定を行うために、多くの時間を要することとなる。また、読取る原稿によっては、設定が不可能な画像形成条件まで表示される。さらには、ユーザにとって所望の設定を行うことができないこともある。
【０００７】
この発明の目的は、画像形成装置の操作に不慣れなユーザにとっても、画像形成条件を簡単に、かつ適切に設定することが可能になる画像形成装置を提供することである。
【課題を解決するための手段】
【０００８】
この発明に係る画像形成装置は、表示手段と、原稿を読取る画像読取り手段と、画像形成装置を構成する要素を検出する検出手段と、画像読取り手段にて読取った原稿の情報と、検出手段にて検出した情報とに基づいて、適切な画像形成条件を特定する特定手段と、特定手段により特定された画像形成条件を表示するよう表示手段を制御する制御手段とを備える。
【０００９】
好ましくは、表示手段は、複数の画像形成条件を選択可能に表示する。
【００１０】
さらに好ましくは、特定手段は、画像形成条件を優先順に複数特定し、表示手段は、複数の画像形成条件をマトリックス状に配列し、特定手段により優先順の高いと特定された画像形成条件を上段に表示する。
【００１１】
さらに好ましくは、複数の画像形成モードを備え、制御手段は、画像形成モードの設定を受付けると、複数の画像形成モードに応じた画像形成条件を特定する。
【００１２】
さらに好ましくは、画像形成装置を構成する要素は、用紙を格納する格納手段に格納された用紙の情報を含む。
【００１３】
さらに好ましくは、制御手段は、読取った原稿の特徴を表示するよう表示手段を制御する。
【００１４】
さらに好ましくは、画像形成装置を構成する要素は、画像形成済みの用紙に後処理を行う後処理装置を含む。
【００１５】
さらに好ましくは、記憶手段を備え、制御手段は、ユーザを識別する情報と画像形成条件の頻度および履歴を含む情報とを記憶手段に記憶し、ユーザを識別する情報を識別したとき画像形成条件の頻度および履歴を含む情報に基づいて、識別されたユーザに応じた画像形成条件を特定する。
【発明の効果】
【００１６】
この発明によると、ユーザが画像形成装置の画像形成条件を設定するときに、予め読取った原稿の情報と、画像形成装置を構成する要素とに基づいて、適切な画像形成条件が表示されるため、画像形成装置の操作に不慣れなユーザにとっても、画像形成条件を簡単に、かつ適切に設定することが可能になる。
【図面の簡単な説明】
【００１７】
【図１】この発明の一実施形態に係る画像形成装置をデジタル複合機に適用した場合のデジタル複合機の構成を示すブロック図である。
【図２】操作部の一例を示す図である。
【図３】制御部の動作を示すフローチャートである。
【図４】画像形成モードの設定画面の一例を示す図である。
【図５】表示画面の一例を示す図である。
【図６】具体的な実施形態の制御部の動作を示すフローチャートである。
【図７】図６のＳ２５における表示画面を示す図である。
【図８】具体的な実施形態の表示画面を示す図である。
【発明を実施するための形態】
【００１８】
以下、この発明の実施形態を、図面を参照して説明する。図１は、この発明の一実施形態に係る画像形成装置をデジタル複合機１０に適用した場合のデジタル複合機１０の構成を示すブロック図である。図１を参照して、デジタル複合機１０は、デジタル複合機１０全体を制御する制御部１１と、画像データなどの書込みや読出しを行うためのＤＲＡＭ（Ｄｙｎａｍｉｃ  Ｒａｎｄｏｍ  Ａｃｃｅｓｓ  Ｍｅｍｏｒｙ）１２と、タッチパネル式であってデジタル複合機１０の備える情報を表示する表示画面２３を含み、デジタル複合機１０におけるユーザとのインターフェースとなる操作部１３と、原稿を自動的に所定の原稿読取り位置へ搬送する原稿送り装置１４と、原稿送り装置１４によって搬送されてきた原稿を所定の読取り位置にてスキャナで読取る画像読取り部１５と、画像読取り部１５で読取られた原稿からその画像を形成する画像形成部１６と、画像データなどを格納するハードディスク１７と、公衆回線２０に接続されるＦＡＸ通信部１８と、ネットワーク２１と接続するためのネットワークＩＦ（インターフェース）部１９と、複数の種類ごとに用紙を格納する給紙カセットを備え画像形成部１６に用紙を供給する給紙部２４とを備える。
【００１９】
制御部１１は、画像読取り部１５から出力される画像データをＤＲＡＭ１２に圧縮符号化して書き込み、ＤＲＡＭ１２に書き込んだデータを読出し、伸張復号化して画像形成部１６により出力する。
【００２０】
デジタル複合機１０は、画像読取り部１５により読取った画像データを用いて、ＤＲＡＭ１２を介して画像形成部１６において画像を形成することにより、複写機として作動する。また、デジタル複合機１０は、ネットワークＩＦ部１９を通じて、ネットワーク２１に接続されたパソコン２２から送信された画像データを用いて、ＤＲＡＭ１２を介して画像形成部１６において画像を形成することにより、プリンタとして作動する。さらに、デジタル複合機１０は、ＦＡＸ通信部１８を通じて、公衆回線２０から送信された画像データを用いて、ＤＲＡＭ１２を介して画像形成部１６において画像を形成することにより、また、画像読取り部１５により読み取った画像データを、ＦＡＸ通信部１８を通じて公衆回線２０に送信することにより、ファクシミリ装置として作動する。
【００２１】
なお、図１において太線の矢印は画像データの流れを示しており、細線の矢印は制御信号または制御データの流れを示している。
【００２２】
図２は、操作部１３の一例を示す図である。図２を参照して、操作部１３は、画像形成の開始を指示するスタートキー２７と、画像形成の中止を指示する中止キー２８と、画像形成する用紙の枚数や、ＦＡＸ番号等を入力させる数字入力キー２９と、デジタル複合機１０が有する基本的な複数の機能を選択させる機能選択キー３０とを備え、表示画面２３は、タッチパネル機能により、ユーザが所望の画面の位置をタッチすることで選択、決定などの操作が可能である。ここにおいて、表示画面２３は、表示手段として作動する。
【００２３】
次に、図１に示したデジタル複合機１０の動作について説明する。図３は、デジタル複合機１０の制御部１１の動作を示すフローチャートである。
【００２４】
まず、原稿送り装置１４の所定の位置（図示せず）にセットされた原稿は、ユーザのスタートキー２７の押下により画像読取り部１５にて読取られ、制御部１１は、原稿の情報を入手する（ステップＳ１１。以下、ステップは省略する）。ここにおいて、画像読取り部１５は、画像読取り手段として作動する。原稿の読取りにより、制御部１１は様々な情報を入手する。具体的には、画像読取り部１５などに設けられたＣＣＤ（Ｃｈａｒｇｅ  Ｃｏｕｐｌｅｄ  Ｄｅｖｉｃｅ）イメージセンサ（図示せず）により原稿からの反射光は受取られ、原稿は読取られる。これにより、読取られた原稿はカラー印字されたカラー原稿かモノクロで印字されたモノクロ原稿かが検知される。また、原稿の両面分の画像データが読取られ、原稿は両面に印字された両面印字原稿か片面にのみ印字された片面印字原稿かが検知される。また、画像読取り部１５の原稿読取り台（図示せず）の内部に設けられた原稿サイズ検知器（図示せず）により、原稿からの反射光の光量に基づき、原稿のサイズは検知される。また、読取った画像データにより、文字のみが印字された文字原稿か写真のみが印字された写真原稿かもしくは両者が混在して印字された混在原稿かを示す原稿の特徴が検知される。また、原稿送り装置１４が備える計数装置（図示せず）により、画像読取り部１５を原稿が正常に通過した枚数を計数されることで、読取った原稿の枚数が検知される。このように、制御部１１は、読取った原稿から様々な情報を入手する。
【００２５】
次に、制御部１１は、デジタル複合機１０を構成する要素を検出する（Ｓ１２）。ここにいうデジタル複合機１０を構成する要素とは、デジタル複合機１０本体が有する機能、および画像を形成するための用紙に関する情報を含む。具体的な機能として、用紙の両面に印字を行う機能、カラー印字を行う機能、形成する画像の拡大および縮小などの変倍処理を行う機能、および印字が完了した用紙を元に小冊子にするなどの後処理を行う後処理装置、すなわち、フィニッシャを有するか否かを含む。また、用紙に関する情報は、読取った原稿と同一サイズの用紙があるか否かを含む。これらのうち、機能情報については、デジタル複合機１０が予め有しており、用紙に関する情報については、格納手段として用紙を格納する給紙カセットに備えられた用紙検知器（図示せず）により、用紙の種類ごとに検知される情報を含む。ここで用紙検知器は、両面印字用の各サイズの用紙の有無とともに、片面印字用の使用済み用紙の有無も検知する。なお、使用済み用紙の有無は、ユーザによって設定されてもよい。
【００２６】
次に、制御部１１は、ユーザによって設定される画像形成モードの情報を入手する（Ｓ１３）。画像形成モードには、標準モードとエコモードの２種類がある。標準モードとは、読取った原稿と同じ複写物を作成することを目標とし、デジタル複合機１０を動作させるモードである。エコモードとは、環境保護を考慮したモードでデジタル複合機１０の各構成機器への電力供給、画像を印字するための用紙、および画像を形成するためのトナーなどについて、省エネルギー、省コストを目標とし、デジタル複合機１０を動作させるモードである。なお、図４は、画像形成モードの設定画面の一例を示す。ユーザによる画像形成モードの設定は、原稿を読取る前に行っても、読取った後に行ってもよい。
【００２７】
次に、制御部１１は、Ｓ１１で入手した原稿の情報と、Ｓ１２で検出したデジタル複合機１０を構成する要素と、Ｓ１３でユーザによって設定された画像形成モードの情報とに基づいて、優先順をつけ適切な画像形成条件を複数特定する（Ｓ１４）。
【００２８】
最後に、制御部１１は、Ｓ１４で特定した複数の画像形成条件を表示画面２３に表示する（Ｓ１５）。
【００２９】
ここにおいて、制御部１１は、デジタル複合機１０を構成する要素を検出する検出手段、複数の情報に基づいて適切な画像形成条件を特定する特定手段、および表示画面２３を制御する制御手段として作動する。
【００３０】
図５は、Ｓ１５における表示画面２３の一例を示す図である。表示画面２３は、複数の画像形成条件をマトリックス状に配置する。表示画面２３内の画面領域３３は、横方向として、左領域に第１の選択部分３３ａ、中央領域に第２の選択部分３３ｂ、および右領域に第３の選択部分３３ｃの、３つの選択部分を構成する。また、表示画面２３は、制御部１１によりユーザにとって優先順の高いと特定された選択部分から順に第１の選択部分、第２の選択部分、および第３の選択部分、すなわち、左から右へと表示する。一方、縦方向として、各選択部分において複数の画像形成条件が、優先順に上から下へと表示される。ここで、表示画面２３は複数の画像形成条件を選択可能に表示する。なお、表示画面２３内に表示できない数の画像形成条件があるときは、表示画面２３の画面内容をスクロールすることで、表示画面２３内に表示されるようにしてもよい。
【００３１】
したがって、制御部１１によって表示画面２３に表示された複数の画像形成条件の中で、最も優先順の高い画像形成条件は第１の選択部分３３ａの一番上に、最も優先順の低い画像形成条件は第３の選択部分３３ｃの一番下に位置することとなる。
【００３２】
このように構成することにより、ユーザがデジタル複合機１０によって原稿を読取らせるだけで、読取った原稿の情報と、デジタル複合機１０を構成する要素とに基づき、適切な画像形成条件が表示されるため、デジタル複合機１０の操作に不慣れなユーザにとっても、画像形成条件を簡単に、かつ適切に設定することが可能になる。
【００３３】
以下、この発明の実施形態に係るデジタル複合機１０の具体的な実施形態を説明する。ここにおいて、読取られる原稿は、複数枚のＡ４サイズ、両面印字、カラーであるものとする。具体的には、読取る原稿の情報は、両面印字原稿か片面印字原稿か、カラー原稿かモノクロ原稿か、および原稿の枚数は何枚かの３つである。また、検出されるデジタル複合機１０を構成する要素は、読取った原稿と同じ複写物を作成する機能があるか否かと、給紙部２４に格納されている用紙の情報を含む。
【００３４】
ここで、デジタル複合機１０は、用紙に両面もしくは片面に印字を行う機能、カラーもしくはモノクロで印字を行う機能、原稿の画像データを変倍処理し用紙に印字を行う機能を有し、用紙としては、給紙部２４には片面印字用としてＡ４サイズの使用済み用紙、および両面印字用としてＡ４サイズの用紙が格納されているものとする。
【００３５】
なお、読取った原稿の情報と、デジタル複合機１０を構成する要素と、ユーザにより設定されるモードとの３つの情報によって特定される選択部分は、３つである。１つは、読取った原稿が両面印字原稿か片面印字原稿かによって、仕上げる用紙に両面印字と片面印字のいずれを行うべきかの設定を示す、印字面の設定である。１つは、カラー印字とモノクロ印字のいずれを行うべきかの設定を示す、印字色の設定である。１つは、読取った原稿を原稿と同一の大きさで仕上げる用紙に印字するか、または読取った原稿の大きさを縮小して仕上げる用紙の１面に原稿の複数面分を集約して印字するかのいずれを行うべきかの設定を示す、集約の設定である。ここにおいて、表示画面２３には、第１番目の優先として第１の選択部分３３ａには印字面の設定、第２番目の優先として第２の選択部分３３ｂには印字色の設定、および第３番目の優先として第３の設定部分３３ｃには集約の設定が表示される。
【００３６】
図６は、この場合におけるデジタル複合機１０の制御部１１の動作を示すフローチャートである。
【００３７】
まず、原稿送り装置１４の所定の位置にセットされた原稿は、ユーザによるスタートキー２７の押下により画像読取り部１５にて読取られる。これにより、制御部１１は、読取った原稿がＡ４サイズ、両面印字、カラー、複数枚であるという情報を入手する（Ｓ２１）。次に、制御部１１は、給紙部２４に格納されたＡ４サイズで両面印字用の用紙と片面印字用の用紙、すなわち、使用済み用紙のどちらも供給可能であるという情報を検知する（Ｓ２２）。
【００３８】
次に、画像形成モードは、標準モードとエコモードのいずれに設定されているかの情報を入手する（Ｓ２３）。
【００３９】
初めに、標準モードが設定されている場合について説明する。制御部１１は、ユーザにより標準モードが設定されているという情報を入手し、Ｓ２１で入手した原稿の情報である「Ａ４サイズ、両面印字、カラー、複数枚の原稿」と、Ｓ２２で検知した用紙の情報である「Ａ４サイズで両面印字用および片面印字用の用紙のどちらも供給可能」と、Ｓ２３で入手した「標準モード」であるという情報とに基づいて、優先順をつけ適切な画像形成条件を複数特定する（Ｓ２４）。Ｓ２４で特定した複数の画像形成条件を表示画面２３に表示する（Ｓ２５）。
【００４０】
図７（Ａ）は、標準モードが設定されているときのＳ２５における表示画面２３を示す図である。
【００４１】
第１の選択部分３３ａ、すなわち、印字面の設定における第１優先としては、「両面印字原稿を仕上げる用紙の両面に印字を行う」という画像形成条件が１番上の位置に表示される。続いて第２優先としては、「両面印字原稿を仕上げる用紙の片面に印字を行う」という画像形成条件が２番目の位置に表示される。
【００４２】
第２の選択部分３３ｂ、すなわち、印字色の設定における第１優先としては、「カラーで印字を行う」という画像形成条件が１番上の位置に表示される。続いて第２優先としては、「モノクロで印字を行う」という画像形成条件が２番目の位置に表示される。
【００４３】
第３の選択部分３３ｃ、すなわち、集約の設定における第１優先としては、「読取った原稿と同一の大きさで仕上げる用紙に印字を行う１ｉｎ１」という画像形成条件が１番上の位置に表示される。続いて第２優先としては、「読取った原稿の半分の大きさに縮小した２面分を仕上げる用紙の１面に印字を行う２ｉｎ１」という画像形成条件が２番目の位置に表示され、その次の第３優先としては、「読取った原稿の４分の１の大きさに縮小した４面分を仕上げる用紙の１面に印字を行う４ｉｎ１」という画像形成条件が３番目の位置に表示される。
【００４４】
このように、標準モードにおいては、図７（Ａ）の最上段に表示されているものを各選択部分から選択することによって、ユーザは適切な画像形成条件、すなわち、読取った原稿と同じ複写物を作成するという条件を設定することが可能となる。
【００４５】
次に、エコモードが設定されている場合について説明する。
【００４６】
図７（Ｂ）は、エコモードが設定されているときのＳ２５における表示画面２３を示す図である。
【００４７】
第１の選択部分３３ａ、すなわち、印字面の設定における第１優先としては、「両面印字原稿を仕上げる用紙の片面に印字を行う」という画像形成条件が１番上の位置に表示される。続いて第２優先としては、「両面印字原稿を仕上げる用紙の両面に印字を行う」という画像形成条件が２番目の位置に表示される。これは、エコモードにより、印字を行うために使用する用紙の節約として片面印字用の使用済み用紙を優先するよう設定されているからである。
【００４８】
第２の選択部分３３ｂ、すなわち、印字色の設定における第１優先としては、「モノクロで印字を行う」という画像形成条件が１番上の位置に表示される。続いて第２優先としては、「カラーで印字を行う」という画像形成条件が２番目の位置に表示される。これは、エコモードにより、カラー印字用のトナーの節約としてモノクロ印字を優先するよう設定されているからである。
【００４９】
第３の選択部分３３ｃ、すなわち、集約の設定における第１優先としては、「４ｉｎ１」という画像形成条件が１番上の位置に表示される。続いて第２優先としては、「２ｉｎ１」という画像形成条件が２番目の位置に表示され、その次の第３優先としては、「１ｉｎ１」という画像形成条件が３番目の位置に表示される。これは、エコモードにより、印字を行うために使用される用紙の節約として４ｉｎ１という印字形態を優先するよう設定されているからである。
【００５０】
このように、エコモードにおいては、図７（Ｂ）の最上段に表示されているものを各選択部分から選択することによって、ユーザは適切な画像形成条件、すなわち、環境保護を考慮し、画像を印字するための用紙、および画像を形成するためのトナーについて、省エネルギー、省コストを行うという条件を設定することが可能となる。
【００５１】
このように構成することにより、ユーザがデジタル複合機１０によって原稿を読取らせるだけで、読取った原稿の情報、すなわち、Ａ４サイズ、両面印字、カラー、複数枚であるという情報と、デジタル複合機１０を構成する要素、すなわち、Ａ４サイズで両面印字用および片面印字用の用紙のどちらも供給可能という情報と、ユーザによって設定された画像形成モードとに基づき、適切な画像形成条件が表示されるため、デジタル複合機１０の操作に不慣れなユーザにとっても、画像形成条件を簡単に、かつ適切に設定することが可能になる。
【００５２】
なお、上記の実施形態においては、表示された第１〜第３の選択部分は、制御部が優先順の高いと特定したものから順に第１の選択部分、第２の選択部分、および第３の選択部分を表示し、また、それぞれの選択部分においても優先順の高いと特定したものから順に画像形成条件を表示している。したがって、ユーザによって行われる画像形成条件の好ましい選択の順番は、まず、第１の選択部分に表示される画像形成条件の中から所望のものを１つ選択する。その次に、第２の選択部分に表示される画像形成条件の中から所望のものを１つ選択し、その次に、第３の選択部分に表示される画像形成条件の中から所望のものを１つ選択する順番である。すなわち、表示画面に表示された優先順の高い選択部分から選択を行う。こうすることにより、ユーザは確実に適切な画像形成条件を設定することができる。また、選択部分が４つ以上あるときも同様に、優先順の高い選択部分に表示される画像形成の中から所望のものを１つ選択することにより、ユーザは確実に適切な画像形成条件を設定することができる。
【００５３】
なお、上記の実施形態においては、画像形成条件の表示は一例であって、第１〜第３の選択部分はそれぞれ印字面の設定、印字色の設定、および集約の設定で説明したが、これに限ることなく、読取る原稿の情報とデジタル複合機を構成する要素とに基づいて、解像度、履歴、濃淡などその他の適切な画像形成条件が表示されるようにしてもよい。
【００５４】
なお、デジタル複合機が後処理を行う後処理装置を備えるものであってもよい。この場合、読取る原稿の枚数により、ステープル、ソート、穴あけなどの後処理に関する画像形成条件が表示される。
【００５５】
なお、上記の実施形態においては、第１〜第３の選択部分は制御部によって特定された画像形成条件が表示されると説明したが、これに限ることなく、画像読取り部にて入手する情報から原稿の特徴、すなわち、原稿が文字原稿か写真原稿か混在原稿かという原稿の特徴を制御部が検知したとき、それに応じた画像形成条件を表示画面のいずれかの選択部分に表示されるようにしてもよい。こうすることにより、原稿の特徴に応じて、適切な画像形成条件を表示することができる。また、このような設定はユーザが設定を忘れる場合があるため、このような画像形成条件を表示することが好ましい。なお、図８を参照して、具体例を説明する。画像形成モードは標準モードが設定されており、読取る原稿は複数枚のＡ４サイズ、両面印字、カラーであり、かつ原稿は文字と写真との混在原稿で、文字と写真の割合は文字の方が多い割合を占める原稿であるものとする。この原稿を読取ったときに得られる画像データにより、原稿の特徴を検知した制御部は、原稿の特徴に応じた画像形成条件を表示画面に表示する。原稿の特徴の設定における第１優先としては、混在原稿であることより、「混在」という画像形成条件が１番上の位置に表示される。第２優先としては、文字の方が多い割合を占める原稿であることより「文字」という画像形成条件が２番目の位置に表示され、第３優先としては、写真の占める割合が少ない原稿であることより「写真」という画像形成条件が３番目の位置に表示される。
【００５６】
なお、上記の実施形態においては、ユーザにより設定された標準モードおよびエコモードの設定により画像形成条件を表示する画像形成モードとしての形態で説明したが、これに限ることなく、異なるモードを定義して設定するようにしてもよい。なお、モードの設定は、ユーザによってなされるものとして説明したが、これに限ることなく、予め画像形成装置に設定されていてもよい。
【００５７】
また、制御部に学習機能を備えさせ、各ユーザに対応した画像形成条件を表示するようにしてもよい。具体的には、各ユーザを識別するＩＤなどの情報とともに、画像形成条件の設定に関する頻度、および履歴などを含む情報を、記憶手段であるハードディスクなどの記憶部に記憶しておき、ユーザを識別する情報を制御部が入手したとき、記憶部に記憶した画像形成条件の設定に関する頻度、および履歴などを含む情報に応じた画像形成条件を表示するようにしてもよい。
【００５８】
なお、上記の実施形態においては、画像形成条件の表示は一例であって、表示された画像形成条件からの選択する場合について説明したが、これに限ることなく、いわゆる詳細設定キーを設け、各選択部分における詳細設定をユーザの任意で行えるようにしてもよい。たとえば、集約の設定において、ユーザが詳細設定キーを押下すると、変倍処理の詳細を設定ができる入力画面に切り変わり、選択キーや数字入力キーなどを使い、ユーザの所望の拡大および縮小などの変倍処理の設定を行えるようにしてもよい。
【００５９】
なお、上記の実施形態においては、表示画面はスクロール表示できる場合について説明したが、これに限ることなく、階層的に画像形成条件が表示されるようにしてもよい。また、各画像形成条件を示すサムネイルから、それぞれの選択部分、および画像形成条件が展開されるように表示してもよい。
【００６０】
なお、上記の実施形態においては、制御部によって各画像形成条件を優先順に表示させる場合について説明したが、これに限ることなく、表示された各選択部分において、最優先に表示された画像形成条件を自動的に選択している状態にしてもよい。こうすることにより、画像形成条件が表示された後にユーザはスタートキーを押下するだけで、コピーが行えることとなり、各画像形成条件を押下する手間が省け、より簡単に、かつ適切に画像形成条件を選択でき、ひいては適切な画像形成を行うことができる。ここで、選択済みの画像形成条件は網がけ表示、色調の反転表示、点滅表示、または拡大表示などで表示され、ユーザにとって視認できるようにしてもよい。
【００６１】
なお、上記の実施形態においては、表示画面に表示した選択部分の数は３つで説明したが、これに限ることなく、４つ以上の選択部分が１つの表示画面内に表示されるようにしてもよい。
【００６２】
以上、図面を参照してこの発明の実施形態を説明したが、この発明は、図示した実施形態に限られない。図示した実施形態に対して、この発明と同一の範囲内において、あるいは均等内において、種々の修正や変形を加えることが可能である。
【符号の説明】
【００６３】
１０  デジタル複合機、１１  制御部、１２  ＤＲＡＭ、１３  操作部、１４  原稿送り装置、１５  画像読取り部、１６  画像形成部、１７  ハードディスク、１８  ＦＡＸ通信部、１９  ネットワークＩＦ部、２０  公衆回線、２１  ネットワーク、２２パソコン、２３  表示画面、２４  給紙部、２７  スタートキー、２８  中止キー、２９  数字入力キー、３０  機能選択キー、３３  画面領域、３３ａ、３３ｂ、３３ｃ  選択部分。
【図１】
2010243665.tif 000003
【図２】
2010243665.tif 000004
【図３】
2010243665.tif 000005
【図４】
2010243665.tif 000006
【図５】
2010243665.tif 000007
【図６】
2010243665.tif 000008
【図７】
2010243665.tif 000009
【図８】
2010243665.tif 000010